(57)【要約】【課題】長期間使用することができる上、飲用の直前にコップやペットボトル等に入れて使用することにより水の濾過や浄化作用ばかりでなく、塩素臭やその他の臭みまで除去することができ、また浴用に供して温水の濾過や浄化のみならず、遠赤外線を利用して入浴時の代謝機能を促進させることができ、しかも非常に低廉な水の改質材を提供しようとするものである。【解決手段】溶岩粒を、それらが通過しない目の粗さを持った袋体に収納することにより、袋体ごと水中に投入できるようにしたことを特徴とする水の改質材。【選択図】  図１
2005152800.tif 000002
【特許請求の範囲】
【請求項１】
溶岩粒を、それらが通過しない目の粗さを持った袋体に収納することにより、袋体ごと水中に投入できるようにしたことを特徴とする水の改質材。
【請求項２】
溶岩粒が、富士山系の溶岩から生成されていることを特徴とする請求項１に記載の水の改質材。
【請求項３】
溶岩粒を収納した袋体が、棒状に形成されていることを特徴とする請求項１または２に記載の水の改質材。
【発明の詳細な説明】
【技術分野】
【０００１】
この発明は水の改質材に関し、水の濾過や浄化を効果的に行なうことができ、あるいは遠赤外線を利用して入浴時の代謝機能を促進させることができるようにした水の改質材を提供しようとするものである。
【背景技術】
【０００２】
従来の水の濾過や浄化のための改質材としては、しゅろや活性炭、カルキ、または種々の合成素材からなる吸着材等が利用されてきた。
【０００３】
また入浴時の代謝機能を促進させる効果のある入浴剤等も、種々の天然あるいは合成素材から製造され、多くの家庭で愛用されてきている。
【０００４】
一方、溶岩はあまり用途開発されておらず、近年焼肉用のプレートや、建築用ブロック等として使用されてきている程度である。
そこで出願人は、実開平７−５８０号公報（特許文献１参照）に示したような気孔を有する溶岩を角を取った小石状に形成したことを特徴とする水の改質材を提案し、溶岩マリモ（出願人の登録商標）という商品名で市場に提供している。
【特許文献１】実開平７−５８０号公報
【発明の開示】
【発明が解決しようとする課題】
【０００５】
しかしながら、上述の水の濾過や浄化のために使用されている、しゅろや活性炭、カルキ、または種々の合成素材からなる吸着材等からなる改質材は、飲用直前には適用できず、水道のくさみや塩素臭を除去するためには使用できないという欠点があった。
また、現在市販されている種々の入浴剤も、浴槽内の温水を着色あるいは汚濁させてしまったり、長時間の使用には耐えないものがほとんどであった。しかもほとんどがかなり高価なものであった。
【０００６】
さらに出願人の上記実開平７−５８０号公報（特許文献１参照）に示したような気孔を有する溶岩を角を取った小石状に形成した水の改質材においては、溶岩の水と接触させて水を改質するための表面積が限定的であって、しかもかさ張るものであり、また各小石状の溶岩が擦れあって粉塵が発生し、身体への害がほとんどないとはいえ、それらが水中に分散されて水を汚濁してしまうという問題があった。
【０００７】
この発明は長期間使用することができる上、飲用の直前にコップやペットボトル等に入れて使用することにより水の濾過や浄化作用ばかりでなく、塩素臭やその他の臭みまで除去することができ、また浴用に供して温水の濾過や浄化のみならず、遠赤外線を利用して入浴時の代謝機能を促進させることができ、しかも非常に低廉な水の改質材を提供しようとするものである。
【課題を解決するための手段】
【０００８】
この発明の水の改質材は、溶岩粒を、それらが通過しない目の粗さを持った袋体に収納することにより、袋体ごと水中に投入できるようにしたことを特徴とするもので、とりわけ上記溶岩粒が、富士山系の溶岩から生成されており、また溶岩粒を収納した袋体が、棒状に形成されていることが望ましい。
【発明の効果】
【０００９】
この発明の水の改質材は以上のように、溶岩粒を、それらが通過しない目の粗さを持った袋体に収納することにより、袋体ごと水中に投入できるようにしたので、長期間安心して使用することができ、しかも非常に低廉な水の改質材を提供することが可能である。
【００１０】
またこの発明の水の改質材は、飲用の直前にコップやペットボトル等に入れて使用することにより水の濾過や浄化作用ばかりでなく、塩素臭やその他の臭みまで除去することができる。
【００１１】
さらにこの発明の水の改質材を浴用に供すれば温水の濾過や浄化のみならず、遠赤外線を利用して入浴時の代謝機能を促進させることができる。また、浴用の温水として使用した場合、汚濁やぬめり等の起きにくい良好な温水を、長期間にわたって提供することができる。
【発明を実施するための最良の形態】
【００１２】
以下図面に基づいてこの発明の水の改質材の実施の形態を詳細に説明する。図１は水の改質材の１実施例を示す正面図、図２はその分解図である。
図１および図２において、１は袋体で、その口を封じたホチキス３に一端を固定した吊り糸５を介して摘み片７が連結されている。９は袋体１の口部に取り付けた２つ折りのラベルである。
上記袋体１は図２に示すように、側面に折り込み部１−２が形成されていて、開口部分を広げると所定の容積となる構造を備え、その口を封じたホチキス３に一端を固定した吊り糸５を介して摘み片７が連結されている。９は袋体１の口部に取り付けた２つ折りのラベル２で、その上端には切り込み口９−２が設けられていて、上記吊り糸５を通すようになっている。
もちろん、袋体１をこのような形態でなく棒状にしておけば、たとえばペットボトル等へも簡単に投入することができる。
【００１３】
１１は、上記袋体１に収納した溶岩粒で、それらを構成するのは、溶岩生成時の気泡が冷えて固まった際にできた気孔を有する溶岩である。この溶岩粒１１は、特に富士山のものは数千年前にマグマが噴出して凝固したもので、その成分として亜鉛、バナジウム、カルシウム、マグネシウム、鉄や銅等を含むものであり、抗菌作用があるといわれている。したがって、災害用の保存水を収納したポリタンク等に入れておけば、常温でも長期間にわたって腐敗することがない。
【００１４】
上記溶岩粒１１に使用する溶岩の気孔は、溶岩全体の約２０％〜６０％程度であることが望ましい。気孔が２０％以下の場合には硬すぎて溶岩粒に加工しにくく、また６０％以上の場合は使用中に摩耗したり、気孔がつぶれたりして粉塵が発生しやすくなるからである。
【００１５】
上記溶岩粒１１に使用する溶岩は大まかに粉砕して石ころ状とし、これをさらに細かく粉砕することにより、溶岩粒１１に形成されている。ちなみに、上記溶岩粒１１の粒径は米粒の半分程度、すなわち、１から５mm程度とすることが望ましい。
【００１６】
上記溶岩粒１１は天然のセラミックであり、したがって遠赤外線を放射することが知られている。すなわち、加熱すると太陽光線のような輻射熱が得られ、生物の細胞を活性化したり、新陳代謝を旺盛にするという効果がある。そして鬱血した部分の血液循環を促進することにより、凝りや疲れを取り除く作用があるといわれている。
【００１７】
このような溶岩粒１１を袋体１に収納したものを、水中に投入した場合には、水の濾過や浄化作用ばかりでなく、塩素臭やその他の臭みまで除去することができる。すなわち、都会の水道水１．８リットルの中に溶岩粒１１を詰めた袋体１を一袋入れて数十分経過すると水道水中の塩素臭がなくなり、浄化されておいしい水となる。このように溶岩粒１１を袋体１に収納したものをペットボトルに投入した場合、ペットボトルの口から直接飲用に供しても、溶岩粒１１を袋体１に収納したものが逆流して呑みにくくなることがない。
また、得た水は、コーヒー等の飲料用として好適に使用することができる。
【００１８】
同様に、水洗した米の水中に溶岩詰めの袋体１を一袋入れて一晩寝かし、その後炊飯すると、ふっくらとあまく炊き上がる。例えばタイ米等も臭いが薄れておいしく食することができ、豆類等もふっくらと炊きあげることができる。 
【００１９】
もちろん、上記溶岩詰めの袋体１を浴槽内の湯の中に１０袋以上投入すれば、その出す遠赤外線によって鬱血した部分の血液循環を促進することにより、凝りや疲れを取り除く以外に、湯の温度が３８℃程度でも適温の４２℃程度のぽかぽかした感じを得ることができる。
【産業上の利用可能性】
【００２０】
この発明の水の改質材は以上のように、溶岩粒１１を袋詰めしたものを使用するので、水を入れたポットやペットボトル等に投入し、長期間安心して使用することができ、しかも非常に低廉な水の改質材を提供することが可能である。
【００２１】
またこの発明の水の改質材は、水を入れたポットやペットボトル等以外にも、やかん、魔法瓶、炊飯器、花瓶に入れて使用したり、コーヒー飲料用として使用することができる。
【図面の簡単な説明】
【００２２】
【図１】水の改質材の１実施例を示す正面図である。
【図２】その分解図である。
【符号の説明】
【００２３】
１  袋体
１−２  折り込み部
３  ホチキス
５  吊り糸
７  摘み片
９  ラベル
９−２  切り込み口
１１  溶岩粒
【図１】
2005152800.tif 000003
【図２】
2005152800.tif 000004